(57)【要約】      （修正有）【課題】導電端子を安定に保持する電気コネクタを提供する。【解決手段】本電気コネクタは、絶縁本体と、前記絶縁本体に装着された複数の導電端子と、前記絶縁本体に組合わされたベース部材７とを備え、前記導電端子は相手コネクタに接続するための接触部と、該接触部から延出するテール部３６とを有し、前記ベース部材に前記テール部が挿入される貫通孔７３が貫通し形成される電気コネクタにおいて、前記テール部は、第一部分と、該第一部分の上方での第二部分と、前記第一部分と第二部分との間に形成される凸部とを含み、前記凸部が前記ベース部材の貫通孔に干渉し保持され、前記第一部分の末端はテーパー部として第一斜面と第二斜面とを対向するように配置される。【選択図】図１０
0003154372.tif 000002
【実用新案登録請求の範囲】
【請求項１】
絶縁本体と、前記絶縁本体に装着された複数の導電端子と、前記絶縁本体に組合わされたベース部材とを備え、前記導電端子は相手コネクタに接続するための接触部と、接触部から延出するテール部とを有し、前記ベース部材に前記導電端子のテール部が挿入される貫通孔が貫通し形成される電気コネクタにおいて、
前記導電端子のテール部は、第一部分と、該第一部分の上方での第二部分と、前記第一部分と第二部分との間に形成される凸部とを含み、前記凸部が前記ベース部材の貫通孔に干渉し保持され、前記第一部分の末端はテーパー部として第一斜面と第二斜面とを対向するように配置されることを特徴とする電気コネクタ。
【請求項２】
前記導電端子の第一部分は、前記第一斜面に連接する第一側面と、前記第二斜面に連接する第二側面とを有し、前記第一側面と第二側面が平行に配置されることを特徴とする請求項１に記載の電気コネクタ。
【請求項３】
前記凸部は、前記第一側面に連接する第三斜面と、前記第二側面に連接する第四斜面とを対向するように配置され、前記第一側面と第三斜面との間の角度を鈍角として、前記第二側面と第四斜面との間の角度を鈍角とすることを特徴とする請求項２に記載の電気コネクタ。
【請求項４】
前記導電端子の第一部分の幅は前記第二部分より狭くなり、前記第二部分と凸部が前記ベース部材の貫通孔に収容されることを特徴とする請求項１に記載の電気コネクタ。
【請求項５】
前記ベース部材の貫通孔が漏斗状を呈することを特徴とする請求項１に記載の電気コネクタ。
【考案の詳細な説明】
【技術分野】
【０００１】
本考案は、電気コネクタに関して、特に、導電端子の構造を改良する電気コネクタに関する。
【背景技術】
【０００２】
従来技術は、特許文献１を参照すると、電気コネクタは、絶縁本体と、絶縁本体に装着される複数の導電端子と、前記導電端子のテール部を保持するためのベースとを含む。前記導電端子は、相手コネクタの相手端子に接続するための接触部と、接触部から下向きに直交するように配置されるテール部とを含み、前記ベースには導電端子のテール部に対応する複数の収容溝が配置され、導電端子のテール部が前記ベースの収容溝により収容され位置決めされ、回路基板に安定に接続することを実現する。
【先行技術文献】
【特許文献】
【０００３】
【特許文献１】中国実用新案第９９２２６５３３．９号明細書
【考案の概要】
【考案が解決しようとする課題】
【０００４】
しかしながら、前記導電端子のテール部が回路基板に接続する時に、導電端子のテール部がベースの収容溝に対して上下方向に沿って移動する恐れがある。また、導電端子のテール部の末端を回路基板の貫通孔に便利に貫通させるために、前記テール部の末端が一般にテーパー状に加工され、テール部とベースの収容溝との間にギャップがあれば、導電端子の左右方向で揺れることを生じる恐れがある。そこで、新型の電気コネクタを開発することが必要である。
【０００５】
本考案はかかる事情に鑑みて創案されたものであり、導電端子を安定に保持する電気コネクタを提供することを目的とする。
【課題を解決するための手段】
【０００６】
前記課題を解決するために、本考案の電気コネクタは、絶縁本体と、前記絶縁本体に装着された複数の導電端子と、前記絶縁本体に組合わされたベース部材とを備え、前記導電端子は相手コネクタに接続するための接触部と、接触部から延出するテール部とを有し、前記ベース部材に前記導電端子のテール部が挿入される貫通孔が貫通し形成される電気コネクタにおいて、前記導電端子のテール部は、第一部分と、該第一部分の上方での第二部分と、前記第一部分と第二部分との間に形成される凸部とを含み、前記凸部が前記ベース部材の貫通孔に干渉して保持され、前記第一部分の末端はテーパー部として第一斜面と第二斜面とを対向するように配置されることを特徴とする。
【考案の効果】
【０００７】
本考案の電気コネクタは、導電端子の凸部がベース部材の貫通孔に干渉して保持されることによって、導電端子が安定に保持される。
【図面の簡単な説明】
【０００８】
【図１】本考案に係る電気コネクタが回路基板に実装されていない時の組立斜視図である。
【図２】図１に示した電気コネクタと回路基板との他の角度から見た斜視図である。
【図３】本考案に係る電気コネクタの部分の分解斜視図である
【図４】図３に示す電気コネクタの他の角度からみた部分の分解斜視図である。
【図５】本考案に係る電気コネクタの分解斜視図である。
【図６】図５に示す電気コネクタの他の角度から見た分解斜視図である。
【図７】本考案に係る電気コネクタの下方のコネクタの分解斜視図である。
【図８】図７に示す下方のコネクタの導電端子の斜視図である。
【図９】図７に示す下方のコネクタの組立斜視図である。
【図１０】図９に示す下方のコネクタの部分の断面図である。
【考案を実施するための形態】
【０００９】
以下、図１〜図１０を参照すると、本考案の電気コネクタ１００の好ましい実施形態について添付図面を参照して説明する。
【００１０】
電気コネクタ１００が回路基板２００に実装され、絶縁本体１と、絶縁本体に装着される複数の導電端子３、３`と、絶縁本体１に覆う金属シェル５と、絶縁本体１の後壁を覆うための金属カバー６と、導電端子３、３`を位置決めするためのベース部材７とを含み、本実施状態において、電気コネクタ１００は、上下積み重ねる方式で配置され、上方のコネクタと下方のコネクタで構成する。
【００１１】
絶縁本体１は、第一本体１０と、第一本体１０の下方の第二本体２０と、を含む。
【００１２】
前記第一本体１０は、嵌合部１１と嵌合部１１から一体に成型される延在部１２とを含み、嵌合部１１には複数の端子溝１１０が貫通し形成され、嵌合部１１は、頂部での位置決め部１１と、両側での凹部１１２が形成される。延在部１２の両端には肩部１５がそれぞれ形成される。
【００１３】
前記第二本体２０は、基部２１と、基部２１から前向きに延出するための嵌合部２２と、基部２１の両側からそれぞれ後向きに延出する両翼部２３と、両翼部２３の間に形成される開口部２５とを含み、第二本体２０は、基部２１と嵌合部２２を貫通するように形成された端子溝２４が設けられる。
【００１４】
図７ないし図１０を参照すると、前記導電端子３、３`は前記端子溝１１０、２４にそれぞれ装着され、第一本体１０の端子溝１１０に装着された導電端子３`は接触部３８と、接触３８に垂直するように設けるテール部３９とを含む。
【００１５】
第二本体２０の端子溝２４に装着された導電端子３は、端子溝２４に収容するための接触部３５と、接触部３５から延出するテール部３６とを含み、テール部３６は、回路基板２００に隣接する第一部分３６１と、前記接触部３５に連接する第三部分３６３と、第一部分３６１と第三部分３６３とに連接する第二部分３６２とを含む。また、導電端子３を安定に保持するように、テール部３６の両側には凸部３６４がそれぞれ突出して設けられる。
【００１６】
前記第一部分３６１の自由末端は互いに対向するように配置される第一斜面３６５１及び第二斜面３６５２を有するテーパー部３６５として、また、第一部分３６１の両側には互いに平行に配置され、前記第一斜面３６５１に連接する第一側面３６１１と、第二斜面３６５２に連接する第二側面３６１２とをそれぞれ有する。前記凸部３６４は、前記第一側面３６１１に連接する第三斜面３６４１と、前記第二側面３６１２に連接する第四斜面３６４２とが対向するように配置され、また、前記第三斜面３６４１と第一側面３６１１との間の角度を鈍角として、第四斜面３６４２と第二側面３６１２との間の角度を鈍角とする。
【００１７】
また、前記第一部分３６１の幅は、第三部分３６３の幅と同じで、第二部分３６２の幅より狭くなる。また、前記第二部分３６２の両側にガイド部３６２１がそれぞれ突出するように形成される。
【００１８】
前記ベース部材７は、前記第二本体２０の開口部２５に取付られ、回路基板２００に対向する底面７２と、底面７２と反対側の頂面７１を有する。ベース部材７には、導電端子３を保持するための貫通孔７３が貫通して形成され、当該貫通孔７３が漏斗形状を呈して、即ち、前記底面７２に隣接する部分の直径が頂面７１に隣接する部分より小さくなり、これによって導電端子３を便利に挿入する。
【００１９】
導電端子３がベース部材７に組合わされる時に、前記ベース部材７を導電端子３のガイド部３６２１により下方から上向きに導電端子３のテール部３６に組合わされ、組合わせた時に、凸部３４と第二部分３６２とが貫通孔７３に保持され、凸部３４が貫通孔７３の内壁に干渉し保持される。導電端子３の末端のテーパー部３６５により導電端子３が回路基板２００の孔２０１に便利に装入される。
【００２０】
前記金属シェル５は絶縁本体１の先端面に覆い、主体部５１と、主体部５１から前向きに突出し、嵌合部１１、２２をそれぞれ包囲する両開口５２と、開口５２の両側で一体に成型されたネジ部材５３と、主体部５１の底部の両側からそれぞれ後向きに延出する両取付部５５と、を含む。また、主体部５１に前記第一本体１０の位置決め部１１を制限するための一対の凸状リブ５１２がそれぞれ形成され、一対の凸状リブ５１２の対向する側面には第一本体１０の凹部１１２に係合する突出部５１４が形成される。前記第一本体１０の肩部１５が前記取付部５５に当接している。
【００２１】
前記カバー６が絶縁本体１の後壁を覆うと共に、前記金属シェル５に接続される。
【００２２】
電気コネクタ１００の導電端子３`もベース部材（参照記号なし）の貫通孔に挿入し位置決めされる。勿論、他実施状態において、前記導電端子３`のテール部３９の構造が導電端子３と同じでもよい。
【００２３】
電気コネクタ１００が回路基板２００に実装される時に、導電端子のテール部３６、３９が回路基板２００の孔２０１にそれぞれ挿入され、また、金属シェル５の取付部５５に保持される保持部材８により電気コネクタ１００が回路基板２００に固持される。
【００２４】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２５】
１００  電気コネクタ
１  絶縁本体
１０  第一本体
２０  第二本体
３、３`  導電端子
３５、３８  接触部
３６、３９  テール部
５  金属シェル
６  カバー
７  ベース部材
７１  頂面
７２  底面
７３  貫通孔
２００  回路基板
２０１  孔
【図１】
0003154372.tif 000003
【図２】
0003154372.tif 000004
【図３】
0003154372.tif 000005
【図４】
0003154372.tif 000006
【図５】
0003154372.tif 000007
【図６】
0003154372.tif 000008
【図７】
0003154372.tif 000009
【図８】
0003154372.tif 000010
【図９】
0003154372.tif 000011
【図１０】
0003154372.tif 000012